(57)【要約】 【課題】  インクカートリッジ周りの操作性に優れ、かつ装置全体としてのデザイン性、梱包性等を損なわない画像形成装置を提供することにある。【解決手段】  カートリッジホルダ４０は、下カバー部２Ａ内において、記録ユニット３０の前部側であって給紙カセット２１の側方、すなわち前面側の角部に配されている。本画像形成装置１においては、画像読取部１０と記録部２０の給紙カセット２１とが互いに交差方向に配されており、画像読取部１０の長手寸法に対して、給紙カセット２１の幅寸法が狭いため、このケーシング２の周壁部と給紙カセット２１の側壁面とに囲まれた領域には、上下方向に比較的余裕のある空間ができる。したがって、この空間を利用してカートリッジホルダを配することにより、上下方向に配置スペースを大きくとるインクカートリッジ４３を、ケーシング２に張り出し部分を設けることなく収容することができる。【選択図】  図１０
2005246884.tif 000002
【特許請求の範囲】
【請求項１】
原稿が戴置される原稿戴置部を備えて画像を読み取るための読取機構と、
被記録媒体がセットされる媒体供給トレイを備えるとともにこの媒体供給トレイの長手方向が前記原稿戴置部の長手方向と直交方向となる向きで配される記録機構と、
前記読取機構と前記記録機構とを上下に重ねた状態で収容する角型の筐体と、
前記筐体の角部位置であって、前記読取機構の下方で前記筐体の周壁部と前記媒体供給トレイの側壁部とに囲まれた空間に配されてインクカートリッジを収容するカートリッジホルダとを備える画像形成装置。
【請求項２】
前記筐体の周壁部において前記カートリッジホルダを囲む領域がその他の領域よりも低背の低背部とされている請求項１に記載の画像形成装置。
【請求項３】
前記低背部のうち前記筐体の側壁を構成する部分の上縁には奥行き方向に向かって下る傾斜が設けられている請求項１または請求項２に記載の画像形成装置。
【請求項４】
前記筐体が前記記録機構を収容する下カバー部と、この下カバー部の上面を閉鎖するとともに前記読取機構を収容する上カバー部とで構成され、前記カートリッジホルダおよび前記低背部が前記下カバー部に備えられると共に、
前記上カバー部の下面側において前記低背部に対応する位置に下向きに突出されてこの低背部の上縁に達する突出壁を備える請求項１〜請求項３のいずれかに記載の画像形成装置。
【請求項５】
前記下カバーの周壁部のうち一辺には前記上カバーを開閉可能に固定するカバー用ヒンジ部が設けられるとともに、
前記カートリッジホルダが、前記カバー用ヒンジ部が設けられた辺と対向する辺に配されている請求項４に記載の画像形成装置。
【請求項６】
前記上カバーには前記筐体の周壁部のうち前記カバー用ヒンジ部が設けられている辺と交差する辺に設けられた蓋用ヒンジ部により開閉可能に取り付けられて前記原稿戴置部を覆う蓋部が備えられる請求項５に記載の画像形成装置。
【請求項７】
前記カバー用ヒンジ部が、前記筐体の側壁部に設けられている請求項６に記載の画像形成装置。
【請求項８】
前記上カバー部が前記下カバー部に対して非ロック状態で取り付けられる請求項５〜請求項７のいずれかに記載の画像形成装置。
【請求項９】
前記下カバー部の上端縁において前記低背部と前記その他の領域との段差部は前記その他の領域側から前記低背部側へ向かって下る下カバー側傾斜部とされているとともに、前記突出壁の突出端において前記下カバー側傾斜部と対応する位置には、この下カバー側傾斜部と当接する上カバー側傾斜部が設けられている請求項５〜請求項８のいずれかに記載の画像形成装置。
【発明の詳細な説明】
【技術分野】
【０００１】
本発明は、画像形成装置に関する。
【背景技術】
【０００２】
従来、パーソナルコンピュータ等に接続してスキャナ、プリンタ、コピー機等として使用可能な画像形成装置として、例えば特許文献１に示されるものがある。このものは、印刷のためのプリンタと、画像等を読み取るためのスキャナとを備えている。
【０００３】
プリンタ、およびスキャナは、共に、Ａ４サイズ程度の印刷用紙、原稿シートに対応可能な幅及び長さを必要とするため、占有空間を大きくとる。したがって、下側にプリンタを配し、その上側にスキャナを重ねる２段重ねの構造とすることによって、装置全体としての占有面積を小さくする工夫がなされている。
【特許文献１】特開平８−１８６６７８号公報
【発明の開示】
【発明が解決しようとする課題】
【０００４】
ところが、上記の画像形成装置では、操作パネル・インクカートリッジ等が、プリンタおよびスキャナの側方に張り出された筐体内に収められる構成とされている。このため、出荷時の梱包に不便である、装置全体としてのデザイン性を損なう、等の問題があった。
特に、インクカートリッジは、交換が必要であるため比較的背が高い配置スペースを必要とする上、取り出し−装填の操作が容易な場所に設置しなければならないなど、レイアウト上の制約が最も大きい部分であり、問題となっていた。
【０００５】
本発明は、上記した事情に鑑みてなされたものであり、その目的は、インクカートリッジ周りの操作性に優れ、かつ装置全体としてのデザイン性、梱包性等を損なわない画像形成装置を提供することにある。
【課題を解決するための手段】
【０００６】
上記の課題を解決するための請求項１の発明に係る画像形成装置は、原稿が戴置される原稿戴置部を備えて画像を読み取るための読取機構と、被記録媒体がセットされる媒体供給トレイを備えるとともにこの媒体供給トレイの長手方向が前記原稿戴置部の長手方向と直交方向となる向きで配される記録機構と、前記読取機構と前記記録機構とを上下に重ねた状態で収容する角型の筐体と、前記筐体の角部位置であって、前記読取機構の下方で前記筐体の周壁部と前記媒体供給トレイの側壁部とに囲まれた空間に配されてインクカートリッジを収容するカートリッジホルダとを備える。
【０００７】
請求項２の発明は、請求項１に記載の画像形成装置であって、前記筐体の周壁部において前記カートリッジホルダを囲む領域がその他の領域よりも低背の低背部とされたものである。
【０００８】
請求項３の発明は、請求項１または請求項２に記載の画像形成装置であって、前記低背部のうち前記筐体の側壁を構成する部分の上縁には奥行き方向に向かって下る傾斜が設けられたものである。
【０００９】
請求項４の発明は、請求項１〜請求項３のいずれかに記載の画像形成装置であって、前記筐体が前記記録機構を収容する下カバー部と、この下カバー部の上面を閉鎖するとともに前記読取機構を収容する上カバー部とで構成され、前記カートリッジホルダおよび前記低背部が前記下カバー部に備えられると共に、前記上カバー部の下面側において前記低背部に対応する位置に下向きに突出されてこの低背部の上縁に達する突出壁を備えるものである。
【００１０】
請求項５の発明は、請求項４に記載の画像形成装置であって、前記下カバーの周壁部のうち一辺には前記上カバーを開閉可能に固定するカバー用ヒンジ部が設けられるとともに、前記カートリッジホルダが、前記カバー用ヒンジ部が設けられた辺と対向する辺に配されたものである。
【００１１】
請求項６の発明は、請求項５に記載の画像形成装置であって、前記上カバーには前記筐体の周壁部のうち前記カバー用ヒンジ部が設けられている辺と交差する辺に設けられた蓋用ヒンジ部により開閉可能に取り付けられて前記原稿戴置部を覆う蓋部が備えられるものである。
【００１２】
請求項７の発明は、請求項６に記載の画像形成装置であって、前記カバー用ヒンジ部が、前記筐体の側壁部に設けられたものである。
【００１３】
請求項８の発明は、請求項５〜請求項７のいずれかに記載の画像形成装置であって、前記上カバー部が前記下カバー部に対して非ロック状態で取り付けられるものである。
【００１４】
請求項９の発明は、請求項５〜請求項８のいずれかに記載の画像形成装置であって、前記下カバー部の上端縁において前記低背部と前記その他の領域との段差部は前記その他の領域側から前記低背部側へ向かって下る下カバー側傾斜部とされているとともに、前記突出壁の突出端において前記下カバー側傾斜部と対応する位置には、この下カバー側傾斜部と当接する上カバー側傾斜部が設けられるものである。
【発明の効果】
【００１５】
請求項１の発明によれば、読取機構と記録機構とが互いに交差方向に配されている。そうすると、読取機構の長手寸法に対して、媒体給紙トレイの幅寸法が狭いため、この筐体の周壁部と媒体供給トレイの側壁面とに囲まれた領域には、上下方向に比較的余裕のある空間ができる。したがって、この空間を利用してカートリッジホルダを配することにより、上下方向に配置スペースを大きくとるインクカートリッジを、筐体に張り出し部分を設けることなく収容することができる。また、インクカートリッジは筐体の角部付近、つまり筐体の外周付近であって手の届きやすい場所に配されるから、カートリッジの交換操作を容易に行うことができる。
【００１６】
請求項２の発明によれば、筐体の周壁部に低背部が設けられている。これにより、カートリッジ交換の際に手が届きやすくなり、交換操作を容易に行うことができる。
【００１７】
請求項３の発明によれば、低背部において側壁部分の上縁にはこの画像形成装置の奥行き方向に向かって下る傾斜が設けられている。これにより、カートリッジ交換の際に手が届きにくい奥側に、開口を大きくとることができ、交換操作を容易に行うことができる。
【００１８】
請求項４の発明によれば、低背部の上縁と上カバーとの間の隙間を突出壁で塞ぐことにより、内部に埃などが侵入することを防止できる。
【００１９】
請求項５の発明によれば、カートリッジホルダは、ヒンジ部が設けられているのと対向する側の辺、すなわち、上カバーを開けた際に下カバーとの間隔を大きく取れる側に配されている。これにより、手を入れるためのスペースを大きくとることができ、カートリッジの交換操作を容易に行うことができる。
【００２０】
請求項６の発明によれば、カバー用ヒンジ部と蓋用ヒンジ部は筐体の周壁部において互いに交差する辺上に設けられる。すなわち、上カバーと蓋部とは、互いに交差方向に回動することとなる。このような構成によれば、インクカートリッジのメンテナンスのために上カバーの開閉操作をする際に、蓋部が誤って開いてしまったり、ばたついたりすることを回避できる。
【００２１】
請求項７の発明によれば、カバー用ヒンジ部は、筐体の側壁部に設けられている。したがって、上カバー部は装置の前面側に立って操作を行う使用者から見て横開き、すなわち左右いずれかの端部側を開く構成となる。
ここで、例えば読取機構の原稿戴置部、あるいは蓋部の上に読み取り前、または読み取った後の原稿を置いたままで上カバー部を開こうとした場合、原稿が上カバー部から落下してしまうことがある。しかし上カバー部が横開きとなっていれば、原稿が落下したとしても装置の左右方向へ落ちることとなり、手の届きにくい背面側へ落ちてしまうことを回避できる。
【００２２】
請求項８の発明によれば、上カバー部が下カバー部に対して非ロック状態で取り付けられている。ここて、上カバー部が下カバー部に対してロック状態で取り付けられていると、例えば装置を移動させるときなどに、上カバー部のみに手を掛けた状態で装置を持ち上げてしまい、その後に、下カバーの重みでロックが外れて落下、破損等を生じるおそれがある。しかし、上カバー部が下カバー部に対して非ロック状態で取り付けられていると、上カバー部のみに手を掛けた状態では下カバー部が持ち上がらないため、上記のような事態を回避できる。
【００２３】
請求項９の発明によれば、低背部および突出壁には、互いに当接する傾斜面が設けられている。このような構成によれば、仮に上カバー部と下カバー部とを連結するヒンジ部にがたつきが生じたとしても、両傾斜面をすり合わせることにより上カバー部を下カバー部に対して正しい位置に合わせることができ、上カバー部を安定させることができる。
【発明を実施するための最良の形態】
【００２４】
以下、本発明の画像形成装置１を具体化した実施形態について、図１〜図１０を参照しつつ詳細に説明する。
【００２５】
図１には、本実施形態の画像形成装置１（以下、「装置１」と略記することがある）を示す。この画像形成装置１は、ファクシミリ機能、プリンタ機能、スキャナ機能等を備えた複合機である。この装置１は、本体ケーシング２（本発明の筐体に該当する）内に、画像を読み取るための画像読取部１０（本発明の読取機構に該当する）、および用紙に記録を行うための記録部２０（本発明の記録機構に該当する）を備えている。
【００２６】
ケーシング２は、全体として、上方から見て一辺がＡ４サイズの用紙の長手寸法よりも一回り大きな正方形をなす箱状に形成されている。このケーシング２は、角型の下カバー部２Ａ、および、この下カバー部２Ａの上面に覆い付けられる上カバー部２Ｂの２段に分割形成されている。そして、上カバー部２Ｂ側には画像読取部１０が、下カバー部２Ａには記録部２０が収納されることにより、画像読取部１０と記録部２０とが積層状態で配置される。
【００２７】
上カバー部２Ｂの上部に収納される画像読取部１０は、この画像読取部１０の上面部に嵌め込まれたコンタクトガラス１１（本発明の原稿戴置部に該当する）、およびこのコンタクトガラス１１の下方に配されて画像を読み取るためのイメージセンサ１００を備えている。イメージセンサ１００は、ほとんどの場合ＣＩＳ（コンタクト・イメージ・センサ）またはＣＣＤ素子を使った縮小光学系を持つユニットが用いられる。なお、コンタクトガラス１１は、最大でＡ４サイズの原稿シートを戴せることができる大きさとされている。
【００２８】
この画像読取部１０は、コンタクトガラス１１の長手方向が装置１の幅方向に沿う向きで、上カバー部２Ｂの後方に寄せて配置されている。そして、コンタクトガラス１１の上面側には、このコンタクトガラス１１の全面を覆うとともに、原稿シートを押さえる蓋板部１２が、画像読取部１０に対して開閉可能に設けられている。より具体的には、蓋板部１２は、上カバー部２Ｂの後端上縁に設けられた蓋用ヒンジ部１３を介して上カバー部２Ｂに連結されており、これにより、上カバー部２Ｂの後端上縁を回動中心として前後方向に回動可能とされている。
【００２９】
画像読取部１０の前方には、操作パネル１４が配されている。操作パネル１４は、画像読取部１０の前端縁とケーシング２の前端縁との間にちょうど収容可能な横長形状をなしており、その上面部には、電源のオン−オフや各機能の切り替え、画像の読取・記録条件の設定等の操作を行うためのボタンや液晶画面等が配置されている。
【００３０】
この上カバー部２Ｂは、下カバー部２Ａに対して開閉可能に取り付けられている。より具体的には、上カバー部２Ｂは、下カバー部２Ａの両側壁部のうち一方（前方から見て左側）の側壁部の上縁に設けられたカバー側ヒンジ部５（図９参照）を介して下カバー部２Ａに連結されており、これにより、この側壁上縁を回動中心として左右方向に回動可能とされている。このように、カバー用ヒンジ部５がケーシング２の側壁部に設けられているから、上カバー部２Ｂは装置の前面側に立って操作を行う使用者から見て横開き、すなわち左右いずれかの端部側を開く構成となる。ここで、例えば画像読取部１０に原稿シートをセットしたままで上カバー部２Ｂを開こうとした場合、原稿シートが上カバー部２Ｂから落下してしまうことがある。このとき、装置１は多くの場合その背面を部屋の壁面ぎりぎりに寄せて設置されるなどして、背面側への落下物を取り出しにくい状況に置かれている。しかし上カバー部２Ｂが横開きとなっていれば、原稿シートが落下したとしても装置１の側面側へ落ちることとなり、取り出しにくい背面側へ落ちてしまうことを回避できる。
【００３１】
一方、下カバー部２Ａに収納される記録部２０は、用紙がセットされる給紙カセット２１（本発明の媒体給紙トレイに該当する）、およびこの給紙カセット２１の上側に設けられたインクジェット方式の記録ユニット３０を備えている（図４〜図６参照）。
【００３２】
給紙カセット２１は、ほぼＡ４サイズ大の矩形薄皿状に形成されている。下カバー部２Ａには、その幅方向中央の下部に、前方に開口してこの下カバー部２Ａの後壁部３にまで達するプレート装着部４が設けられており、給紙カセット２１は、その長手方向がケーシング２の奥行き方向に沿うようにしてこのプレート装着部４の下部に着脱可能に挿入される。この給紙カセット２１の後端上方には、給紙カセット２１から送られてきた用紙を上方に案内するガイド板３９、およびこのガイド板３９の上方に連ねられて、用紙を前方にＵターンさせる一対の弧状ガイド３７、３８が設けられている。
【００３３】
プレート装着部４の後部上方位置であって両弧状ガイド３７、３８の前方には、用紙への印刷を行う記録ユニット３０が設けられている。フレーム３１は、給紙カセット２１の幅よりも左右にやや長い略箱形に形成されており、その上部には、左右方向に伸びる一対のガイドプレート３１Ａ、３１Ｂが、前後に並列して配されている。このガイドプレート３１Ａ、３１Ｂ上には、記録ヘッドを備えたキャリッジ３３が、両ガイドプレート３１Ａ、３１Ｂ間に橋渡されるようにして装着されている。またフレーム３１の内部であって両ガイドプレート３１Ａ、３１Ｂの下方には、用紙を下側から支持するプラテン部材３４や紙送りローラ等（詳細には図示せず）が設けられている。また、フレーム３１の一端部には、キャリッジ３３を駆動するための駆動モータ３６が設けられている。フレーム３１の他端側には、ここを通過する用紙の幅から外れる位置に、詳細に図示はしないが、紙送りローラ等を駆動するための駆動部、廃インクカートリッジ、記録ヘッドのメンテナンスを行うためのメンテナンスユニット、非記録時にキャリッジ３３を待機させるための待機スペースなどが設けられている。さらに、フレーム３１の下面側には、給紙カセット２１上の用紙を後方へ送るための給紙ローラ３２Ａを備えた給紙アーム３２が設けられている。
【００３４】
弧状ガイド３７、３８に案内されてＵターンした用紙は、プラテン部材３４上へ送られ、紙送りローラによって所定量ずつ前方へ送られる。これとともに、キャリッジ３３が幅方向へ往復駆動され、記録ヘッドから所定のデータに基づいてインク滴が吐出される。これにより、用紙上には、各種の画像が記録され、前方に排出される。
【００３５】
さて、本実施形態の画像形成装置１においては、カートリッジホルダ４０をキャリッジ３３とは別体に設け、ケーシング２内に配置している。カートリッジホルダ４０は、下カバー部２Ａ内において、記録ユニット３０の前部側であって給紙カセット２１の側方、すなわち前面側の角部に配されている。本画像形成装置１においては、画像読取部１０と記録部２０の給紙カセット２１とが互いに交差方向に配されており、画像読取部１０の長手寸法に対して、給紙カセット２１の幅寸法が狭いため、このケーシング２の周壁部と給紙カセット２１の側壁面とに囲まれた領域には、上下方向に比較的余裕のある空間ができる。したがって、この空間を利用してカートリッジホルダ４０及びインクカートリッジ４３を配することにより、上下方向に配置スペースを大きくとるインクカートリッジ４３を、ケーシング２に張り出し部分を設けることなく収容することができるのである。
なお、カートリッジホルダ４０は、下カバー部２Ａの前面側２つの角部のうち、カバー側ヒンジ部５が設けられているのとは対向する辺の側に配されている。
【００３６】
カートリッジホルダ４０は、上面が開放されるとともに、ケーシング２の奥行き方向に細長い箱状をなしている（図５、図７参照）。このカートリッジホルダ４０の内部は、区画壁４１によって奥行き方向に並列する４つのカートリッジ室４２に区切られている。４つのカートリッジ室のうち、前面側の３つは同幅に形成され、後ろ側の１つはやや幅広に形成されている。
【００３７】
各カートリッジ室４２には、インクが充填されたインクカートリッジ４３が上方から差し込まれるようにして装填されている。インクカートリッジ４３は箱形をなすインク室４４を備え、その内部にインクが充填されたものである。カートリッジ室４２のうち前面側から３室には、３色のカラー（Ｃ：シアン、Ｍ：マゼンタ、Ｙ：イエロー）のインクカートリッジ４３Ａが装填され、一番奥側には、これら３色のインクカートリッジ４３Ａよりもやや幅広に形成されたブラックのインクカートリッジ４３Ｂが装填されている。
インク室４４の内部には、ヒンジにより片持ち状に支持されて、インクの残量に応じて傾動するフロート４５が設けられており、このフロート４５の先端位置の変化によってインクの残量を検知できるようになっている。また、インク室４４の下部には、インク室と連なるインク供給口４６が設けられている。インク供給口４６は、カートリッジホルダ４０に設けられたインク流路４０Ａを介して送液チューブＴに繋げられている。送液チューブＴは、プレート装着部４の上面に配索されてキャリッジ３３に連結されており、インクはこの送液チューブＴを通って記録ヘッドへ供給される。
【００３８】
下カバー部２Ａの前壁部および側壁部のうちこのカートリッジホルダ４０を囲うＬ字状の領域は、他の領域よりも背の低い低背部Ｗｓとされている。この低背部Ｗｓの上端は、インクカートリッジ４３におけるインク室４４の上面近くまで下げられており、これにより、カートリッジ交換の際にインクカートリッジ４３に手が届きやすいようになっている。
【００３９】
低背部Ｗｓのうち、下カバー部２Ａの側壁を構成する領域においては、その上端縁に、奥行き方向に向かって下る傾斜Ｓが設けられている（図３、図５参照）。また、下カバー部２Ａの上端縁において低背部Ｗｓとその他の領域との段差部は、その他の領域から低背部Ｗｓへ向かって下る下カバー側傾斜部７Ａ、７Ｂとされている。
【００４０】
また、上カバー部２Ｂの下面においてこの低背部Ｗｓに対応する位置には、下向きに突出されてこの低背部Ｗｓの上縁にまで達するＬ字状の突出壁６が設けられている（図１、図９参照）。これにより、上カバー部２Ｂを閉じた状態では、突出壁６において上カバー部２Ｂの下面と低背部Ｗｓの上縁との間の空間が閉じられ、内部に埃等が入り込まないようになっている。そして、この突出壁６においてＬ字の両端部には、下カバー部２Ａの下カバー側傾斜部７Ａ、７Ｂと当接する上カバー側傾斜部８Ａ、８Ｂが設けられている。このように、低背部Ｗｓおよび突出壁６に互いに当接する傾斜面７、８を設けることによって、仮にカバー側ヒンジ部５が緩むなどしてがたつきが生じたとしても、上カバー部２Ａを下カバー部２Ｂに対して正しい位置に合わせることができるようになっている（図２、図３参照）。
【００４１】
使用済みのインクカートリッジ４３を交換する際には、まず、上カバー部２Ｂを開いて下カバー部２Ａの上面を開放する（図１０参照）。このとき、上カバー部２Ｂの上面には、画像読取部１０の蓋板部１２が開閉可能に設けられている。しかし、蓋板部１２を取り付けている蓋用ヒンジ部１３と上カバー部２Ｂを取り付けているカバー側ヒンジ部５とは、互いにケーシング２の周壁部上縁において交差する辺（蓋用ヒンジ部１３は後側の辺、カバー側ヒンジ部５は横方の辺）上に設けられている。したがって、蓋板部１２は上カバー部２Ｂの回動方向（左右方向）とは異なる方向（前後方向）に回動することとなるから、上カバー部２Ｂを開閉操作する際に蓋板部１２がつられて開いてしまうことを回避できる。
【００４２】
そして、上カバー部２Ｂを開いた状態で、使用済みのインクカートリッジ４３を取り出し、新しいものと交換する。このとき、下カバー部２Ａにおいてカートリッジホルダ４０の周囲は低背部Ｗｓとされており、インクカートリッジ４３に手が届きやすいようになっている。また、カートリッジホルダ４０は、下カバー部２Ａの前面側という手が届きやすいところに配されているとともに、上カバー部２Ｂを連結するカバー側ヒンジ部５が設けられているのとは対向する辺の側、すなわち、上カバー部２Ｂを開けた際に、上カバー部２Ｂの下面と下カバー部２Ａの上面との間隔が大きく開く側に配されている。これにより、インクカートリッジ４３の交換操作を容易に行うことができる。加えて、低背部Ｗｓのうち、下カバー部２Ａの側壁を構成する領域においては、その上端縁に、奥行き方向に向かって下る傾斜Ｓが設けられている。このように、使用者が立つ前面側から見て、比較的手が届きにくくなる奥側に行くほど、上カバー部２Ｂの下面と下カバー部２Ａの上面との間隔が大きく開くようにされているから、交換操作を容易に行うことができる。
【００４３】
さらに、上カバー部２Ｂが下カバー部２Ａに対して非ロック状態で取り付けられている。ここで、上カバー部２Ｂが下カバー部２Ａに対してロック状態で取り付けられていると、例えば装置１を移動させるときなどに、上カバー部２Ｂのみに手を掛けた状態で装置１を持ち上げてしまい、その後に、下カバー部２Ａの重みでロックが外れて落下、破損等を生じるおそれがある。しかし、上カバー部２Ｂが下カバー部２Ａに対して非ロック状態で取り付けられていると、上カバー部２Ｂのみに手を掛けた状態では下カバー部２Ｂが持ち上がらないため、上記のような事態を回避できる。
【００４４】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態では、画像読取部１０を、コンタクトガラス１１の長手方向が装置１の幅方向に沿う向きに配し、記録部２０を、給紙カセット２１の長手方向が装置１の奥行き方向に沿う向きで配したが、画像読取部１０をコンタクトガラス１１の長手方向が装置１の奥行き方向に沿う向きに配し、記録部２０を給紙カセット２１の長手方向が装置１の奥行き方向に沿う向きで配しても構わない。
（２）上記実施形態では、蓋用ヒンジ部１３をケーシング２の周壁部において後方の辺、カバー側ヒンジ部５を横方の辺上に配したが、蓋用ヒンジ部１３を横方の辺、カバー側ヒンジ部５を後方の辺上に配してもよい。
【図面の簡単な説明】
【００４５】
【図１】本実施形態の画像形成装置の斜視図
【図２】画像形成装置の正面図
【図３】画像形成装置の側面図
【図４】画像形成装置の側断面図
【図５】記録ユニットおよびカートリッジホルダを収納した下カバー部の斜視図−１
【図６】記録ユニットおよびカートリッジホルダを収納した下カバー部の斜視図−１
【図７】下カバー部の部分拡大図
【図８】カートリッジホルダの部分拡大断面図
【図９】上カバー部の下面図
【図１０】上カバー部を開いてインクカートリッジを交換する様子を示す正面図
【符号の説明】
【００４６】
１…画像形成装置
２…ケーシング（筐体）
２Ａ…下カバー部
２Ｂ…上カバー部
５…カバー用ヒンジ部
６…突出壁
７…下カバー側傾斜部
８…上カバー側傾斜部
１０…スキャナユニット（読取機構）
１１…コンタクトガラス（原稿戴置部）
１２…蓋板部（蓋部）
１３…蓋用ヒンジ部
２１…給紙カセット（媒体供給トレイ）
３０…記録ユニット（記録機構）
４０…カートリッジホルダ
４３…インクカートリッジ
Ｗｓ…低背部
Ｓ…傾斜
【図１】
2005246884.tif 000003
【図２】
2005246884.tif 000004
【図３】
2005246884.tif 000005
【図４】
2005246884.tif 000006
【図５】
2005246884.tif 000007
【図６】
2005246884.tif 000008
【図７】
2005246884.tif 000009
【図８】
2005246884.tif 000010
【図９】
2005246884.tif 000011
【図１０】
2005246884.tif 000012